(57)【要約】【課題】着座者が立ち上がっても、肘とともにカップホルダーが跳ね上がってそのカップホルダー内に置かれたカップ内の飲み物がこぼれてしまうのを防止することにある。【解決手段】支柱１に跳ね上がり可能に枢支された座２と、前記座に連結されてその座の跳ね上がりと連動して跳ね上がる肘５と、前記肘に装着されたカップホルダー９と、を具えてなる自動折りたたみ椅子において、前記肘５に支持されるとともに前記支柱１に連結されて前記肘の跳ね上がりと連動して前記カップホルダー９の内側に突出し、その突出を規制されると前記肘の跳ね上がりを規制する突出部材１０を設けたことを特徴とする、肘装着型カップホルダー付き自動折りたたみ椅子である。【選択図】        図１
2004154392.tif 000002
【特許請求の範囲】
【請求項１】
支柱に跳ね上がり可能に枢支された座と、
前記座に連結されてその座の跳ね上がりと連動して跳ね上がる肘と、
前記肘に装着されたカップホルダーと、
を具えてなる自動折りたたみ椅子において、
前記肘に支持されるとともに前記支柱に連結されて前記肘の跳ね上がりと連動して前記カップホルダーの内側に突出し、その突出を規制されると前記肘の跳ね上がりを規制する突出部材を設けたことを特徴とする、肘装着型カップホルダー付き自動折りたたみ椅子。
【請求項２】
前記肘は、前記座に連結されてその座の跳ね上がりと連動して傾動するリンク部材に上から当接するよう弾性部材により付勢されており、
前記突出部材は、前記肘の跳ね上がりを直接規制することで前記リンク部材の傾動を許容することを特徴とする、請求項１記載の肘装着型カップホルダー付き自動折りたたみ椅子。
【請求項３】
前記突出部材は、前記弾性部材を介して前記支柱に連結されていることを特徴とする、請求項２記載の肘装着型カップホルダー付き自動折りたたみ椅子。
【発明の詳細な説明】
【０００１】
【発明の属する技術分野】
この発明は、劇場等に設けられ、着座者が離座すると座が自動的に跳ね上がる自動折りたたみ椅子に関し、特には、肘装着型カップホルダー付きの自動折りたたみ椅子に関するものである。
【０００２】
【従来の技術】
着座者が離座すると座が自動的に跳ね上がる自動折りたたみ椅子としては、本願出願人が従来から製造販売しているロールバックチェアースタンド・タイプ０に用いられているものが広く知られている（例えば、非特許文献１参照）。
【０００３】
この自動折りたたみ椅子は、左右の支柱に跳ね上がり可能に枢支された座と、その座の両側部の後端部に両側部の下端部を枢支されるとともに左右の支柱にリンク部材を介して両側部の中間部を連結された背と、前記リンク部材および背を介して前記座に連結されてその座の跳ね上がりと連動して跳ね上がる肘と、を具えてなる。
【０００４】
この自動折りたたみ椅子にあっては、着座者が立ち上がって座が跳ね上がり可能になると、リンク部材を介して支柱に連結されて後傾していた背が、自重で下がりながらリンク部材を後ろが下がるように傾動させて垂直に立つとともに、座の後端部を押し下げ、これにより座が跳ね上がる。そして肘は、座の跳ね上がりと連動して傾動する前記リンク部材に上から当接するよう弾性部材により付勢されているので、座の跳ね上がりと連動して跳ね上がる。
【０００５】
【非特許文献１】「パブリックシーティングプロダクツカタログ」，株式会社コトブキ，平成８年５月１日，Ｎｏ．１４９，ｐ．１１７
【０００６】
【発明が解決しようとする課題】
ところで、上記従来の自動折りたたみ椅子については、着座者の便宜のためにその肘にカップホルダーを設けることが強く望まれている。
【０００７】
しかしながら、上記従来の自動折りたたみ椅子では、座の跳ね上がりと連動して肘が跳ね上がることから、肘にそのままカップホルダーを装着したのでは、そのカップホルダー内に飲み物の入ったカップが置かれている場合に着座者が立ち上がって座が跳ね上がると、肘とともにカップホルダーが跳ね上がってそのカップホルダー内に置かれたカップも跳ね上がり、そのカップ内の飲み物がこぼれてしまうという問題があった。
【０００８】
【課題を解決するための手段およびその作用・効果】
この発明は、上記課題を有利に解決した自動折りたたみ椅子を提供することを目的とするものであり、この発明の肘装着型カップホルダー付き自動折りたたみ椅子は、支柱に跳ね上がり可能に枢支された座と、前記座に連結されてその座の跳ね上がりと連動して跳ね上がる肘と、前記肘に装着されたカップホルダーと、を具えてなる自動折りたたみ椅子において、前記肘に支持されるとともに前記支柱に連結されて前記肘の跳ね上がりと連動して前記カップホルダーの内側に突出し、その突出を規制されると前記肘の跳ね上がりを規制する突出部材を設けたことを特徴とするものである。
【０００９】
かかる肘装着型カップホルダー付き自動折りたたみ椅子にあっては、座が着座位置に下ろされるのと連動して肘が略水平な使用位置に下ろされた状態で、その肘に装着されたカップホルダー内にカップが置かれると、突出部材がカップホルダーの内側に突出しようとしてもそのカップが突出部材の突出を規制する。そしてこの突出規制により突出部材が、肘の跳ね上がりを規制する。
【００１０】
従ってこの発明の肘装着型カップホルダー付き自動折りたたみ椅子によれば、肘に装着したカップホルダー内に飲み物の入ったカップが置かれている場合に着座者が立ち上がっても、カップが突出部材の突出を規制し、この突出規制により突出部材が肘の跳ね上がりを規制するので、肘とともにカップホルダーが跳ね上がってそのカップホルダー内に置かれたカップ内の飲み物がこぼれてしまうのを防止することができる。
【００１１】
なお、この発明においては、前記突出部材が肘の跳ね上がりとともに座の跳ね上がりを規制しても良いが、前記肘が、前記座に連結されてその座の跳ね上がりと連動して傾動するリンク部材に上から当接するよう弾性部材により付勢されており、前記突出部材が、前記肘の跳ね上がりを直接規制することで前記リンク部材の傾動を許容することとしても良く、このようにすれば、突出部材が肘の跳ね上がりを規制してもリンク部材は傾動し得るので座は跳ね上がることができるため、突出部材の突出を規制する力が肘の跳ね上がりを規制するのみゆえ小さくて済むので、カップが紙や薄いプラスチック等の比較的弱いものの場合でも、肘の跳ね上がりを充分に規制することができる。
【００１２】
そしてこの発明においては、前記突出部材が、前記弾性部材を介して前記支柱に連結されていても良く、このようにすれば、支柱への突出部材の連結を容易にかつ安価に行うことができる。
【００１３】
【発明の実施の形態】
以下に、この発明の実施の形態を実施例によって、図面に基づき詳細に説明する。ここに、図１（ａ）および（ｂ）は、この発明の肘装着型カップホルダー付き自動折りたたみ椅子の一実施例を座が跳ね上がった状態で示す側面図および正面図、図２（ａ），（ｂ）および（ｃ）は、上記実施例の肘装着型カップホルダー付き自動折りたたみ椅子を着座状態で示す側面図、正面図および平面図、図３（ａ）および（ｂ）は、上記実施例の肘装着型カップホルダー付き自動折りたたみ椅子の肘を跳ね上がった状態で示す側部断面図およびその矢印Ａ方向から見た透視図、図４（ａ）および（ｂ）は、上記実施例の肘装着型カップホルダー付き自動折りたたみ椅子の肘を使用状態で示す側部断面図およびその矢印Ｂ方向から見た透視図である。
【００１４】
この実施例の肘装着型カップホルダー付き自動折りたたみ椅子は、単独であるいは連結椅子として移動観覧席等に用い得るもので、図１および図２に示すように、椅子の左右方向へ延在する軸線Ｃ周りに回動可能に左右の支柱１に枢支されて跳ね上がり可能とされた座２と、その座２の両側部の後端部に両側部の下端部を枢支されるとともに左右の支柱にリンク部材３を介して両側部の中間部を連結された背４と、リンク部材３および背４を介して座２に連結されてその座２の跳ね上がりと連動して跳ね上がる肘５と、を具えてなる。
【００１５】
ここにおける肘５は、図３および図４に示すように、水平な軸６を介して支柱１の上端部に回動可能に枢支されており、支柱１の上端部の後方側（図３，４では右方側）には弾性部材としてのコイルバネ７の一端部がネジ止めされ、そのコイルバネ７の他端部は、肘５の裏面に当接してコイルバネ７の弾性力により肘５を図３，４では時計回りに回動するように常時付勢する。また肘５の裏面にはゴム製のストッパ８が設けられており、上記コイルバネ７の弾性力による肘５の回動は、上記リンク部材３の上側端へのストッパ８の当接によって規制される。
【００１６】
またここにおける肘５には、例えば鋼棒をリング状に曲げることで形成されたカップホルダ９が、その肘５の前端部から前方へ突出するように装着固定されるとともに、例えば鋼棒をＬ字状の曲げることで形成された突出部材１０がその肘５の前後方向へ摺動可能に支持されており、その突出部材１０の直線状の後端部１０ａにはコイルバネ７の上記他端部が掛合され、これにより突出部材１０は、コイルバネ７を介して支柱１の上端部に連結されている。
【００１７】
それゆえ突出部材１０の、肘５の先端部から外に出るとともに短く曲がった先端部１０ｂは、図３（ａ）に示す跳ね上がり位置まで肘５が跳ね上がると、図３（ｂ）に示すようにカップホルダ９のリング部９ａの中心付近までカップホルダ９の内側に突出する突出位置まで前進し、図４（ａ）に示す略水平な使用位置まで肘５が降りると、図４（ｂ）に示すようにカップホルダ９のリング部９ａと周方向に並ぶ後退位置まで後退する。すなわち、跳ね上がり位置と使用位置との間の肘５の揺動と突出部材１０の進退移動とは機械的に連動しており、上記と逆に突出部材１０を進退移動させると、肘５は跳ね上がり位置と使用位置との間で揺動する。
【００１８】
かかる実施例の自動折りたたみ椅子にあっては、座２に人が着座している際は図２に示すように、リンク部材３を介して支柱１に連結された背４が座２の後端部で押し上げられて後傾するとともにリンク部材３を略水平に位置させており、着座者が立ち上がって座２が跳ね上がり可能になると、図１に示すように、背４が自重で下がりながらリンク部材３を後ろが下がるように傾動させて略垂直に立つとともに座２の後端部を押し下げ、これにより座２が跳ね上がる。
【００１９】
そして肘５は、リンク部材３の上側端に上から当接するようにコイルバネ７により付勢されているので、座２に人が着座している際は図２に示すように略水平に位置し、着座者が立ち上がると、カップホルダー９のリング部９ａ内にカップが置かれていない場合は座２の跳ね上がりと連動して、図１に実線で示すとともに図３に示すように跳ね上がる。
【００２０】
一方、座２に人が着座していて肘５およびカップホルダー９のリング部９ａが図２に示すように略水平に位置している間にそのカップホルダー９のリング部９ａ内にカップ１１が置かれ、その状態で着座者が立ち上がると、座２の跳ね上がりと連動してリンク部材３は図４（ａ）中仮想線で示すように後傾するが、突出部材１０の先端部１０ｂは図４（ａ）に示すようにカップ１１で進出を阻止されて図４（ｂ）に示す後退位置に止められているので、肘５の揺動と突出部材１０の進退移動との上述した機械的連動により突出部材１０は、コイルバネ７の付勢力に抗しつつ図４（ａ）に示すように肘５をリンク部材３から離間させて略水平な使用位置に制止する。
【００２１】
従って、この実施例の自動折りたたみ椅子によれば、カップホルダー９のリング部９ａ内にカップ１１が置かれている際には、着座者が立ち上がって座２が跳ね上がっても肘５は跳ね上がりを規制されるので、肘５とともにカップホルダー９が跳ね上がってそのカップホルダー９内に置かれたカップ１１内の飲み物がこぼれてしまうのを防止することができる。
【００２２】
しかもこの実施例の自動折りたたみ椅子によれば、肘５が、座２に連結されてその座２の跳ね上がりと連動して傾動するリンク部材３に上から当接するようコイルバネ７により付勢されており、突出部材１０が上述した機械的連動により肘５の跳ね上がりを直接規制することでリンク部材３の傾動を許容することから、突出部材１０が肘５の跳ね上がりを規制してもリンク部材３は傾動し得るので座２は跳ね上がることができるため、突出部材１０の突出を規制する力が肘５の跳ね上がりを規制するのみゆえ小さくて済むので、カップ１１が紙や薄いプラスチック等の比較的弱いものの場合でも、肘５の跳ね上がりを充分に規制することができる。
【００２３】
さらにこの実施例の自動折りたたみ椅子によれば、突出部材１０が、コイルバネ７を介して支柱１に連結されているので、支柱１への突出部材１０の連結構造を、連結部材等の専用の部材を用いずして容易にかつ安価に構成することができる。
【００２４】
以上、図示例に基づき説明したが、この発明は上述の例に限定されるものでなく、例えば、カップホルダーは肘と一体に形成しても良く、また突出部材は舌状片としても良い。そして突出部材は連結部材等の専用の部材を介して支柱に連結しても良く、また背は支柱に固定されていても良い。さらに、丈夫なカップを使用する場合には、肘は座と機械的に連動する（すなわち肘の跳ね上がりを止めると座の跳ね上がりも止まる）ものでも良い。
【図面の簡単な説明】
【図１】（ａ）および（ｂ）は、この発明の肘装着型カップホルダー付き自動折りたたみ椅子の一実施例を座が跳ね上がった状態で示す側面図および正面図である。
【図２】（ａ），（ｂ）および（ｃ）は、上記実施例の肘装着型カップホルダー付き自動折りたたみ椅子を着座者を省略した着座状態で示す側面図、正面図および平面図である。
【図３】（ａ）および（ｂ）は、上記実施例の肘装着型カップホルダー付き自動折りたたみ椅子の肘を跳ね上がった状態で示す側部断面図およびその矢印Ａ方向から見た透視図である。
【図４】（ａ）および（ｂ）は、上記実施例の肘装着型カップホルダー付き自動折りたたみ椅子の肘を使用状態で示す側部断面図およびその矢印Ｂ方向から見た透視図である。
【符号の説明】
１  支柱
２  座
３  リンク部材
４  背
５  肘
６  軸
７  コイルバネ
８  ストッパ
９  カップホルダー
９ａ  リング部
１０  突出部材
１０ａ  後端部
１０ｂ  先端部
１１  カップ
【図１】
2004154392.tif 000003
【図２】
2004154392.tif 000004
【図３】
2004154392.tif 000005
【図４】
2004154392.tif 000006